(57)【要約】      （修正有）【課題】床下の配管が不要にされ且つ床上に載置して施工できるようにされた新規の床上排水型の水洗和式便器を提供する。【解決手段】下床２の上に段差部３を介して上床４が形成された一段の段上がり床５を備えたトイレ構造６に対して、便器本体の一部が埋め込まれた状態に設置されて用いられる。給水受入口１４が金隠し部１２の前に上引きしうる構成にして設けられ、排水口１９が上床と下床の間に横引きしうる構成にして設けられ、且つ便器本体の前側個所の下面及び後側個所の下面には下床の上に載置した状態にして用いられる水平着床面をもつ前側脚部９及び後側脚部１０が設けられる。【選択図】図４
0003109981.tif 000002
【実用新案登録請求の範囲】
【請求項１】
下床の上に段差部を介して上床が形成された一段の段上がり床を備えたトイレ構造に対して、便器本体の一部が埋め込まれた状態に設置されて用いられる形態の床上排水型水洗和式便器に関し、給水受入口が金隠し部の前に上引きしうる構成にして設けられ、排水口が上床と下床の間に横引きしうる構成にして設けられたことを特徴とする床上排水型水洗和式便器。
【請求項２】
便器本体の前側個所の下面及び後側個所の下面に、下床の上に載置した状態にして用いられる水平着床面をもつ前側脚部及び後側脚部が設けられたことを特徴とする請求項１記載の床上排水型水洗和式便器。
【請求項３】
前側脚部、後側脚部の水平着床面が同一の面を形成する構成にされたことを特徴とする請求項２記載の床上排水型水洗和式便器。
【請求項４】
給水受入口が金隠し部の前に位置し、排水口が給水受入口より外側にされたことを特徴とする特徴とする請求項１、２又は３記載の床上排水型水洗和式便器。
【請求項５】
前側脚部は、金隠し部、給水受入部、トラップおよび排水口部の重量を支える裾広がりの形態にされたことを特徴とする請求項２、３又は４記載の床上排水型水洗和式便器。
【考案の詳細な説明】
【技術分野】
【０００１】
本考案は、主に簡易トイレ、仮設トイレ、ユニットハウス、仮設ハウス等に使用される床上排水型水洗和式便器に関する。具体的には、給水受入口を金隠し部の前に上引きしうる構成にして設け且つ排水口を上床と下床の間に横引きしうる構成にして設けることで床下の配管が不要にされ且つ便器本体の前側下面及び後側下面に前側脚部及び後側脚部を設けることで床上に載置して施工できるようにされた床上排水型の水洗和式便器に関する。
【０００２】
尚、便器において金隠しが無い方から有る方に向かう方向を前方向とする。また本文中、「床上」とは下床の上のことであリ、「床下」とは下床の下のことである。
【背景技術】
【０００３】
現在、一般住宅では洋式便器が主流になっているが、公共施設、建設現場、イベント会場等では水洗和式便器の使用比率がまだ高く需要も多い。
【０００４】
上記需要に応える水洗和式便器として、給水受入口３１が金隠し部３２の前に上引きしうる構成にして設けられ、排水口３３が下床３４の下に下引きしうる構成にして設けられた図８に示すような形式の床下排水式便器３５や、給水受入口が上床と下床の間に横引きしうる構成にして設けられ、排水口が床下に下引きしうる構成にして設けられた特許文献１に示されている形式の床下排水式便器が知られている。
【０００５】
しかしながら、この種の水洗和式便器は、その排水部分の工事を床下で施工するのが原則であるために、床下には必要最小限度以上のスペース（深さ）が必要であり、結果的に床高になるという致命的な問題があった。このため、トイレ本体の高さを抑える必要がある例えばビルの屋内、足場下等の高さ制限があり、施工地に利用できない事態も往々に生じていた。また、当該床下工事はスペースの制限もあって必ずしも容易ではない問題及び排水口が下引き状態にされているために困難な排水口への接続工事が必要であり、メンテナンス等が容易ではない問題があった。
【０００６】
また、下向排水口部分３７及びトラップ底面部分３６が尖った形状になっていて、実際の工事では、図８に示すように下床３４に切り込み穴３８を切り開ける必要があり、このために施工の簡略化、工期の短縮化、配管工事費等コストの低減化に向いていない問題があった。
【０００７】
また、図８に示す形式は、給水受入口３１が金隠し部３２の前に上引きしうる構成にして設けられていて、自然落下の水量（８〜１３リットル）でし尿の排水が可能であるので、フラッシュバルブ等を用いて一定の水圧を得る構成にしない状態すなわちロータンク利用の構成で使用できるが、特許文献１に示す形式は、給水受入口が横引き式であったために、フラッシュバルブ等を用いて一定の水圧を得る構成にした状態で使用しなければならない問題があった。
【特許文献１】特開平９ー１４４１１２号公報
【考案の開示】
【考案が解決しようとする課題】
【０００８】
本考案は、上記の諸問題点を一挙に解消する新規の床上排水型水洗和式便器を提供することを目的とする。
【課題を解決するための手段】
【０００９】
上記目的を達成するために、請求項１に係る床上排水型水洗和式便器は、下床の上に段差部を介して上床が形成された一段の段上がり床を備えたトイレ構造に対して、便器本体の一部が埋め込まれた状態に設置されて用いられる形態の床上排水型水洗和式便器に関し、給水受入口が金隠し部の前に上引きしうる構成にして設けられ、排水口が上床と下床の間に横引きしうる構成にして設けられたことを特徴とする。
【００１０】
したがって、請求項１に係る床上排水型水洗和式便器は、下向排水口部分及びトラップ底面部分に尖りがない製品の構成を可能にするものであり、尖りがない分だけ高さが低くされた製品の提供に好適なものである。
【００１１】
結局、請求項１に係る床上排水型水洗和式便器によれば、下向排水口部分の尖った部分及びトラップ底面部分の尖った部分がない製品、すなわち設置のために切り取り穴を切り開ける必要性及び下床の下に工事用のスペースを設ける必要性がない製品を提供できる。
【００１２】
また、上記のように給水受入口が上引き式にしたので、ロータンクを用いることで一定の水圧を得る構成にすることができ、上記フラッシュバルブ等を用いなければならない問題が解決できる。
【００１３】
請求項２に係る床上排水型水洗和式便器は、請求項１記載の床上排水型水洗和式便器に関し、便器本体の前側個所の下面及び後側個所の下面に、下床の上に載置した状態にして用いられる水平着床面をもつ前側脚部及び水平着床面をもつ後側脚部が設けられたことを特徴とする。
【００１４】
したがって、この請求項２に係る床上排水型水洗和式便器は、請求項１に係る床上排水型水洗和式便器の実施を可能にし且つ容易にすることができる。
【００１５】
また、この請求項２に係る床上排水型水洗和式便器は、下床の上に段差部を介して上床が形成された一段の段上がり床を備えたトイレ構造に設置して用いる場合には、例えば、図４に示すように、上記金隠し部、給水受入口部及び外周リム部は上床の上に露呈した一部埋め込みの状態にし且つ前側脚部及び後側脚部は下床の上面に載置した状態にすることができる。しかも、この設置に際しては、下床に対して切り穴を切り開ける等の作業を施さなくともよく、結果として施工の簡略化、工期の短縮化、コストの低減化等ができる。
【００１６】
さらに、請求項２に係る床上排水型水洗和式便器は、請求項１に係る床上排水型水洗和式便器と同様に、上記尖りがない分だけ高さを低くされた形態の便器を提供することができる。当該製品を入手して使用した場合には、上記したように下床の下にスペースを設ける必要性がなくなった分だけ当該下床を低くすることが可能になるので、段上がり床を低くできる。つまり、天井が高いトイレの提供が可能になる。したがって、例えば置き場所の天井が低い上記ビルの屋内、足場下等施工地に使用したいユーザーにも、充分に天井の高い仮設トイレを提供することができるメリットがある。
【００１７】
また、この請求項２に係る床上排水型水洗和式便器は、例えば、図６に示すように、便器交換等改修の際には、それまで使用していた便器の撤去により残った前使用切り穴２１が小さければ敢えて埋め隠したりしないでも、上記前側脚部及び後側脚部を上記前使用切り穴２１の前後切り縁個所２２、２３の上に位置させて載置することで、すなわち上記前使用切り穴２１を跨いだ状態に載置することで下床の上に設置することができる。結局、便器交換の改修作業の場合には、上床を一旦外して上記残った切り穴を塞ぐというような煩瑣な作業を省くことができる。結果としてその分改修工事の簡素化ができる。改修に際しても施工の簡略化、工期の短縮化、コストの低減化等ができる。
【００１８】
さらに、上記したように上床を一旦外す必要がなくなるので、例えば当該外す作業の際に誤って上床、その他を破損してしまうような事故も完全に解消することができる。
【００１９】
請求項３に係る床上排水型水洗和式便器は、請求項１又は２記載の床上排水型水洗和式便器に関し、前側脚部、後側脚部の水平着床面が同一の面を形成する構成にされたことを特徴とする。
【００２０】
したがって、下床の上に載置する場合にはその位置が決め易く、より効果的に施工の簡略化、工期の短縮化、コストの低減化を可能にすることができる。
【００２１】
請求項４に係る床上排水型水洗和式便器は、請求項１、２又は３記載の床上排水型水洗和式便器に関し、給水受入口が金隠しの前に位置し、排水口が給水受入口より外側にされたことを特徴とする。
【００２２】
したがって、無理のない施工が可能になり、排水口に対する配管工事、改修工事等の容易化、メンテナンスの容易化ができる。
【００２３】
請求項５に係る床上排水型水洗和式便器は、請求項２、３又は４記載の床上排水型水洗和式便器に関し、前側脚部は、金隠し部、給水受入部、トラップおよび排水口部の重量を支える裾広がりの形態にされたことを特徴とする。
【００２４】
したがって、下床の上に載せ置いた状態の安定性が極めて高く、簡易な位置ズレ防止構造若しくは位置ズレ用パーツを使用することで施工できる。
【考案の効果】
【００２５】
本考案係る床上排水型水洗和式便器は、上記の通り、給水受入口を上引きしうる構成にし、且つ排水口を横引きしうる構成にすると共に、便器本体の前端側個所及び後端側個所の下面に前側脚部及び後側脚部を設け、且つこれら前側脚部、後側脚部の下面に水平着床面を設けたので、床下での配管工事、床板への切り込み穴の開け工事、フラッシュバルブ等の取付工事を要らなくすることができる。その上、これら工事の不要化によって、段上がり床を備えたトイレ構造に対する施工及び改修工事の簡素化、メンテナンスの容易化、工期の短縮化、コストの低減化等ができる。
【考案を実施するための最良の形態】
【００２６】
以下、本考案を適用した具体的な実施の形態について、図面を参照しながら詳細に説明する。図１〜図６は本考案の第１実施の形態に係る床上排水型水洗和式便器１を示している。図１は全体を示す斜視図であり、図２は図１ＡーＡ線に沿う断面図であり、図３は全体を示す平面図であり、図４は同じく使用状態で示す側面図であり、図５は同じく底面図であり、図６は別異の使用状態を示す側面図である。
【００２７】
この第１実施の形態に係る床上排水型水洗和式便器１は、図４及び図６に示すように、下床２の上に段差部３を介して上床４が形成された一段の段上がり床５を備えたトイレ構造６に設置して用いられるものである。なお、上記トイレ構造６について図に示されていない部分は、通常の仮設トイレタイプのものであるので、ここでは説明は省略する。
【００２８】
上記第１実施の形態に係る床上排水型水洗和式便器１は、便器本体１７が、鉢部１１と、当該鉢部１１の前部に設けられた金隠し部１２と、同鉢部１１の上部周縁に設けられた外周リム部１３と、当該外周リム部１３に連通する給水受入部１４と、上記鉢部１１の下に設けられたトラップ１５と、当該トラップ１５に連続して設けられた排水口部１６から構成されている。なお、上記給水受入部１４は、上記金隠し部１２の前に位置する配置にして設けられている。
【００２９】
そして、上記便器本体１７の前側個所の下面及び後側個所の下面には、下床２の上に載置した状態にして用いられる水平着床面７、８をもつ前側脚部９及び後側脚部１０が設けられ、また給水受入部５の上面には給水受入口１８が上引きしうる構成にして設けられ、排水口部１６には排水口１９が上床４と下床２との間に横引きしうる構成にして設けられている。
【００３０】
上記第１実施の形態に係る床上排水型水洗和式便器１は、上記トイレ構造６に設置される場合には、上記金隠し部１２、給水受入部１４及び外周リム部１３が上床４の上に露呈した一部埋め込みの状態にされ且つ前側脚部９及び後側脚部１０が下床２の上面に載置された状態にして用いられる。
【００３１】
また、上記第１実施の形態に係る床上排水型水洗和式便器１にあっては、給水受入口１８が金隠し部１２の前に位置する給水受入部１４の上面に設けられ、且つ排水口部１６に設けられた排水口１９が上記給水受入口１８より外側にされている。したがって、上記排水口１９に対する配管工事は、無理のない体勢で容易にできる。
【００３２】
さらに、前側脚部９は、断面図を参照することにより容易に理解できるように、金隠し部１２、給水受入部１４、トラップ１５および排水口部１６の重量を効率よく支える裾広がりの形態にされている。
【００３３】
また、便器本体１７の後方部及び後側脚部１０は、段上がり床５の段差部３から後方側空間に向けて突出する形態にされているので、いわゆる納まりがよく、体裁的に好ましい。
【００３４】
また、上記前側脚部９及び後側脚部１０の高さは、排水口部１６及び排水口１９を横引きにして排水口部分及びトラップ底面部分を尖らない形態にしてある分低くすることができる。
【００３５】
さらに、上記前側脚部９及び後側脚部１０の下面より下には、従来例のような尖り出た部分がないので、設置のための切り取り穴を切り開ける必要がなく、下床の下に工事用のスペースを設ける必要もない。
【００３６】
上記した第１実施の形態に係る床上排水型水洗和式便器１は、前側脚部９、後側脚部１０の下床２の上面に接する水平着床面７，８が同一の面を形成する構成にされているが、本考案は、図７に示す第２実施の形態に係る床上排水型水洗和式便器２４のように、同一の面を形成しない構成（図７中のＨ参照）にして実施してもよい。
【００３７】
上記のように水平着床面７，８の高さを同一の面を形成しない構成にした場合には、例えば同図に示すように、別途用意された閉塞部材２５を用いて上記前使用切り穴２１を塞ぎ、よって防臭効果を揚げるようにすることができる。なお、この第２実施の形態に係る床上排水型水洗和式便器２４は、前側脚部９と後側脚部１０の高さ（長さ）が異なる以外、前記第１実施の形態に係る床上排水型水洗和式便器１と同様の構成にしてあるので、同一の部位には同じ符号を付して詳細な説明は省略する。
【００３８】
以上、図に示す実施の形態について説明したが、本考案は、上記実施の形態に限定されるものでなく、実用新案登録請求の範囲に記載された考案の精神を逸脱しない範囲において、種々の態様で実施することが可能であり、そして本考案はこれ等実施されたものにも及ぶものである。
【図面の簡単な説明】
【００３９】
【図１】第１実施の形態に係る床上排水型水洗和式便器を示す斜視図である。
【図２】図１ＡーＡ線に沿う断面図である。
【図３】第１実施の形態に係る床上排水型水洗和式便器を示す平面図である。
【図４】同じく使用状態で示す側面図である。
【図５】同じく底面図である。
【図６】別異の使用状態を示す側面図である。
【図７】第２実施の形態に係る床上排水型水洗和式便器を使用の状態で示す側面図である。
【図８】従来例を使用の状態で示す側面図である。
【符号の説明】
【００４０】
１  第１実施の形態に係る床上排水型水洗和式便器
２  下床
３  段差部
４  上床
５  一段の段上がり床
６  トイレ構造
７、８  水平着床面
９  前側脚部
１０  後側脚部
１１  鉢部
１２  金隠し部
１３  外周リム部
１４  給水受入部
１５  トラップ
１６  排水口部
１７  便器本体
１８  給水受入口
１９  排水口
２１  前使用切り穴
２２、２３  前後切り縁個所
２４  第２実施の形態に係る床上排水型水洗和式便器
２５  閉塞部材
３１  給水受入口
３２  金隠し部
３３  排水口
３４  下床
３５  床下排水式便器
３６  トラップ底面部分
３７  下向排水口部分
３８  切り込み穴
【図１】
0003109981.tif 000003
【図２】
0003109981.tif 000004
【図３】
0003109981.tif 000005
【図４】
0003109981.tif 000006
【図５】
0003109981.tif 000007
【図６】
0003109981.tif 000008
【図７】
0003109981.tif 000009
【図８】
0003109981.tif 000010